(57)【要約】【課題】表示本体部に容易に着脱可能なカードケースおよびそれを備えた表示用ホルダを提供する。【解決手段】表示用ホルダ１００は、ケーシング１１０、保持部材１９１およびカードケース３００を備える。ケーシング１１０は、差込口１５０、収納部１１０Ｈおよび固定部材１１０Ｋを有する。カードケース３００は保持片３３０を有する。また、液晶表示装置２００は商品価格を表示する表示パネル２０１を備える。カードケース３００の保持片３３０においては、中央部で下側に折り返されることにより上部挿入片および下部挿入片が設けられている。下部挿入片の前端には突出片が延設されている。また、下部挿入片には係止孔が設けられている。ケーシング１１０の差込口１５０内部には、保持片３３０の係止孔と嵌合可能な係止突起が設けられている。【選択図】　　　　図１
2004021239.tif 000002
【特許請求の範囲】
【請求項１】
表示を行うとともにカードを保持する表示用ホルダであって、
表示を行うための表示本体部と、
前記表示本体部に取り付けられ、カードを保持するカードケースとを備え、
前記カードケースは、
前記カードの表示面を前方に向けて保持するカード保持部と、
前記カード保持部に対して後方に突出するように設けられた取り付け片とを備え、
前記取り付け片がほぼ中央部で前方に折り返されることにより互いに重なり合う第１取り付け部および第２取り付け部が形成され、
前記第１取り付け部および第２取り付け部のうち一方の取り付け部に孔部が設けられるとともに、前記一方の取り付け部から前記カード保持部に対して前方に突出する突出片が設けられ、
前記表示本体部は、前記カードケースの前記第１取り付け部および第２取り付け部が挿入される挿入部を有し、
前記挿入部内に前記カードケースの前記孔部に係合する突起部が設けられたことを特徴とする表示用ホルダ。
【請求項２】
前記第２取り付け部は、前記第１取り付け部の下側に折り返され、前記孔部は前記第２取り付け部に設けられ、前記突出片は前記第２取り付け部から前記カード保持部に対して前方に突出し、
前記突起部は、前記挿入部内の下面に設けられたことを特徴とする請求項１記載の表示用ホルダ。
【請求項３】
前記第２取り付け部は、前記第１取り付け部の下側に折り返され、前記孔部は前記第１取り付け部に設けられ、前記突出片は前記第１取り付け部から前記カード保持部に対して前方に突出し、
前記突起部は、前記挿入部内の上面に設けられたことを特徴とする請求項１記載の表示用ホルダ。
【請求項４】
前記第２取り付け部は、前記第１取り付け部の上側に折り返され、前記孔部は前記第２取り付け部に設けられ、前記突出片は前記第２取り付け部から前記カード保持部に対して前方に突出し、
前記突起部は、前記挿入部内の上面に設けられたことを特徴とする請求項１記載の表示ホルダ。
【請求項５】
前記カードケースは、合成樹脂により一体形成されたことを特徴とする請求項１〜４のいずれかに記載の表示用ホルダ。
【請求項６】
表示本体部は、表示器を収納するための表示器収納部であることを特徴とする請求項１〜５のいずれかに記載の表示用ホルダ。
【請求項７】
表示を行うための表示本体部に設けられた挿入部に挿入されるとともに前記挿入部内に設けられた突起部により係止され、カードを保持するカードケースであって、
前記カードの表示面を前方に向けて保持するカード保持部と、
前記カード保持部に対して後方に突出するように設けられた取り付け片とを備え、
前記取り付け片がほぼ中央部で前方に折り返されることにより互いに重なり合う第１取り付け部および第２取り付け部が形成され、
前記第１取り付け部および第２取り付け部のうち一方の取り付け部に孔部が設けられるとともに、前記一方の取り付け部から前記カード保持部に対して前方に突出する突出片が設けられたことを特徴とするカードケース。
【発明の詳細な説明】
【０００１】
【発明の属する技術分野】
本発明は、販売店等において表示を行うための表示用ホルダおよびそれに用いられるカードケースに関する。
【０００２】
【従来の技術】
従来より、スーパーマーケット等の販売店舗においては、商品陳列棚に商品の価格を表示した表示用ホルダを設けることにより、陳列された商品の価格を消費者に提示している。
【０００３】
近年、小型の液晶表示装置を組み込んだ表示用ホルダが用いられている。この表示用ホルダによれば、商品陳列棚に陳列した商品の価格の変化に応じて表示価格を容易に変更することができる。
【０００４】
小型の液晶表示装置を組み込んだ表示用ホルダは、例えば、特開２００２−１１６７０３号に開示されている。以下に、特開２００２−１１６７０３号に開示されている表示用ホルダについて説明する。
【０００５】
図１５は、従来の表示用ホルダの外観斜視図である。図１５によれば、表示用ホルダ９００は、表示本体９１０、取り付けパーツ９１１およびカードケース９３０を備える。
【０００６】
表示本体９１０は、挿入口ＪＷ、嵌合口ＪＶおよび固定部材９１２を備える。また、表示本体９１０は、固定部材９１２に取り付けられた取り付けパーツ９１１により、商品陳列棚の所望の位置に設置される。
【０００７】
液晶表示本体９２０は、直方体の形状を有し、表示本体９１０の嵌合口ＪＶに嵌め込まれる。嵌合口ＪＶ内の液晶表示本体９２０は、矢印Ｖｂで示す前方向に取り外すことが可能である。また、液晶表示本体９２０は、商品陳列棚に陳列されている商品の価格を表示する表示パネル９２１を有する。
【０００８】
カードケース９３０は、商品陳列棚に陳列されている商品の広告情報等を示すカードを保持する。このカードケース９３０は、後述の挿入片を有し、挿入片が表示本体９１０の挿入口ＪＷに挿し込まれることにより表示本体９１０に保持される。表示本体９１０に保持されたカードケース９３０は、矢印Ｖａで示す前方向に取り外すことが可能である。
【０００９】
取り付けパーツ９１１は、挟持片９１１ａ，９１１ｂを有する。挟持片９１１ａ，９１１ｂは、商品陳列棚のレールに係止される。それにより、表示本体９１０を商品陳列棚の所望の位置に設置することができる。
【００１０】
以下に、表示用ホルダ９００のカードケース９３０および表示本体９１０の構造の詳細について図１６〜図１８に基づき説明する。
【００１１】
図１６は、図１５の挿入口ＪＷを表示用ホルダの正面より見た場合の拡大図である。
【００１２】
図１６に示すように、挿入口ＪＷの内部の下面に係止突起９４２が設けられ、上面に突起９４６が設けられている。挿入口ＪＷ内の背面側に貫通口９４５が設けられている。
【００１３】
図１７は、図１５の従来のカードケースの斜視図である。
図１７に示すように、カードケース９３０は、起立片９３１、狭持片９３７、挿入片９３４および突出片９３６により構成されている。
【００１４】
起立片９３１および狭持片９３７は上端で互いに連接されており、起立片９３１と狭持片９３７との間に隙間９３８が形成されている。また、挿入片９３４は、起立片９３１から後方に屈曲形成されている。挿入片９３４の後端には、突出片９３６が延設されている。また、挿入片９３４には、係止孔９３５が設けられている。
【００１５】
挿入片９３４は、図１５の表示本体９１０に設けられた挿入口ＪＷに挿入可能な形状に形成されている。なお、上記に示す突出片９３６は、使用者がカードケース３００を把持して表示本体９１０から取り外す場合のつまみ部として設けられている。
【００１６】
また、カードケース９３０の隙間９３８には、広告カードが挿入される。ここで、カードケース９３０は、可撓性を有する透明のプラスチック等からなる合成樹脂板により形成されている。これにより、隙間９３８に挿入される広告カードに表示された商品広告情報が、起立片９３１を通してカードケース９３０の前面に提示される。
【００１７】
以下、表示本体９１０に対するカードケース９３０の着脱方法について図１８に基づき説明する。図１８は、表示本体に対するカードケースの着脱方法を示す断面図である。図１８においては、図１６に示す表示本体９１０のＪ−Ｊ線断面および図１７に示すカードケース９３０のＪｎ−Ｊｎ線断面が示されている。
【００１８】
カードケース９３０の取り付け時には、図１８（ａ）に示すように、カードケース９３０の挿入片９３４を表示本体９１０の挿入口ＪＷに対し矢印Ｖｃの方向に挿入する。それにより、図１８（ｂ）に示すように、カードケース９３０の挿入片９３４が、表示本体９１０の挿入口ＪＷの内部に収容される。この場合、カードケース９３０の係止穴９３５に表示本体９１０の係止突起９４２が嵌合する。さらに、カードケース９３０の挿入片９３４は、表示本体９１０の押さえ突起９４６により係止突起９４２と異なる位置において上部より押下保持されている。また、カードケース９３０の突出片９３６は、表示本体９１０の貫通口９４５を通して表示本体９１０の背面より外部に突出する。
【００１９】
次に、カードケース９３０の取り外し時には、図１８（ｂ）に示す状態において、使用者は表示本体９１０の背面側からカードケース９３０の突出片９３６を把持して上に押し上げることにより係止突起９４２を係止穴９３５から外し、突出片９３６を表示用ホルダ９００の背面側から前面側に向かって押出す。それにより、カードケース９３０を表示本体９１０から取り外すことができる。
【００２０】
【発明が解決しようとする課題】
しかしながら、以上に示す表示用ホルダ９００によれば、使用者はカードケース９３０を表示本体９１０に前面側から容易に取り付けることが可能であるが、カードケース９３０を表示本体９１０から取り外す場合、表示本体９１０の背面側に指を回して、突出片９３６を把持して表示本体９１０の前面側に押出さなければならず、作業が困難となる。
【００２１】
また、表示本体９１０に取り付けられたカードケース９３０にがたつきが生じる場合がある。
【００２２】
本発明の目的は、表示本体部に容易に着脱可能なカードケースおよびそれを備えた表示用ホルダを提供することである。
【００２３】
本発明の他の目的は、表示本体部に容易に着脱可能でかつがたつきを生じることなく確実に固定されるカードケースを提供することである。
【００２４】
【課題を解決するための手段】
本発明に係る表示用ホルダは、表示を行うとともにカードを保持する表示用ホルダであって、表示を行うための表示本体部と、表示本体部に取り付けられ、カードを保持するカードケースとを備え、カードケースは、カードの表示面を前方に向けて保持するカード保持部と、カード保持部に対して後方に突出するように設けられた取り付け片とを備え、取り付け片がほぼ中央部で前方に折り返されることにより互いに重なり合う第１取り付け部および第２取り付け部が形成され、第１取り付け部および第２取り付け部のうち一方の取り付け部に孔部が設けられるとともに、一方の取り付け部からカード保持部に対して前方に突出する突出片が設けられ、表示本体部は、カードケースの第１取り付け部および第２取り付け部が挿入される挿入部を有し、挿入部内にカードケースの孔部に係合する突起部が設けられたことを特徴とするものである。
【００２５】
本発明に係る表示用ホルダにおいては、表示本体部により表示がなされ、カード保持部を有するカードケースによりカードがその表示面を前方に向けて保持される。カードケースにおいては、取り付け片がカード保持部に対して後方に突出するように設けられ、取り付け片がほぼ中央部で前方に折り返されることにより互いに重なり合うように第１取り付け部および第２取り付け部が形成されている。互いに重なり合う第１取り付け部および第２取り付け部を表示本体部に設けられた挿入部に挿入すると、挿入部内に設けられた突起部が一方の取り付け部に設けられた孔部に係合する。それにより、カードケースが表示本体部に取り付けられる。また、一方の取り付け部に設けられた突出片が、カード保持部に対して前方に突出する。使用者は、カードケースを表示本体部より取り外す場合に、カード保持部に対して前方に突出した突出片を把持してカードケースの孔部に対する突起部の係合を外すとともに、突出片を前方に引っ張る。これにより、カードケースを表示本体部より容易に取り外すことができる。
【００２６】
以上に示すように、使用者は、表示本体部に対するカードケースの着脱作業を表示用ホルダの前面側で容易に行うことができる。
【００２７】
第２取り付け部は、第１取り付け部の下側に折り返され、孔部は第２取り付け部に設けられ、突出片は第２取り付け部からカード保持部に対して前方に突出し、突起部は、挿入部内の下面に設けられてもよい。
【００２８】
この場合、互いに重なり合う第１取り付け部および第２取り付け部を表示本体部に設けられた挿入部に挿入すると、挿入部内の下面に設けられた突起部が第２取り付け部に設けられた孔部と係合する。また、第２取り付け部に設けられた突出片がカード保持部に対して前方に突出する。
【００２９】
使用者は、突出片を把持して上に持ち上げることにより、カードケースの孔部に対する突起部の係合を外し、突出片を前方に引っ張ることによりカードケースを表示本体部より容易に取り外すことができる。
【００３０】
第２取り付け部は、第１取り付け部の下側に折り返され、孔部は第１取り付け部に設けられ、突出片は第１取り付け部からカード保持部に対して前方に突出し、突起部は、挿入部内の上面に設けられてもよい。
【００３１】
この場合、互いに重なり合う第１取り付け部および第２取り付け部を表示本体部に設けられた挿入部に挿入すると、挿入部内の上面に設けられた突起部が第１取り付け部に設けられた孔部と係合する。また、第１取り付け部に設けられた突出片がカード保持部に対して前方に突出する。
【００３２】
使用者は、突出片を把持して下に押し下げることにより、カードケースの孔部に対する突起部の係合を外し、突出片を前方に引っ張ることによりカードケースを表示本体部より容易に取り外すことができる。
【００３３】
第２取り付け部は、第１取り付け部の上側に折り返され、孔部は第２取り付け部に設けられ、突出片は第２取り付け部からカード保持部に対して前方に突出し、突起部は、挿入部内の上面に設けられてもよい。
【００３４】
この場合、互いに重なり合う第１取り付け部および第２取り付け部を表示本体部に設けられた挿入部に挿入すると、挿入部内の上面に設けられた突起部が第２取り付け部に設けられた孔部と係合する。また、第２取り付け部に設けられた突出片がカード保持部に対して前方に突出する。
【００３５】
使用者は、突出片を把持して下に押し下げることにより、カードケースの孔部に対する突起部の係合を外し、突出片を前方に引っ張ることによりカードケースを表示本体部より容易に取り外すことができる。
【００３６】
カードケースは、合成樹脂により一体形成されてもよい。この場合、第１取り付け部および第２取り付け部が可撓性を有する。これにより、互いに重なり合う第１取り付け部および第２取り付け部を閉じた状態で表示本体部に設けられた挿入部に挿入すると、挿入部内に設けられた突起部が一方の取り付け部に設けられた孔部と係合するとともに、第１取り付け部および第２取り付け部が開く方向に復元力が働く。それにより、第１取り付け部および第２取り付け部が挿入部の内面を押し広げるように力が作用し、両方の取り付け部が挿入部に強固に固定される。
【００３７】
表示本体部は、表示器を収納するための表示器収納部であってもよい。この場合、表示本体部には表示器が収納される。これにより、使用者は、表示器の表示内容を容易に変更することができる。
【００３８】
本発明に係るカードケースは、表示を行うための表示本体部に設けられた挿入部に挿入されるとともに挿入部内に設けられた突起部により係止され、カードを保持するカードケースであって、カードの表示面を前方に向けて保持するカード保持部と、カード保持部に対して後方に突出するように設けられた取り付け片とを備え、取り付け片がほぼ中央部で前方に折り返されることにより互いに重なり合う第１取り付け部および第２取り付け部が形成され、第１取り付け部および第２取り付け部のうち一方の取り付け部に孔部が設けられるとともに、一方の取り付け部からカード保持部に対して前方に突出する突出片が設けられたものである。
【００３９】
本発明に係るカードケースにおいては、取り付け片がカード保持部に対して後方に突出するように設けられ、取り付け片がほぼ中央部で前方に折り返されることにより互いに重なり合うように第１取り付け部および第２取り付け部が形成されている。互いに重なり合うように形成された第１取り付け部および第２取り付け部を表示本体部に設けられた挿入部に挿入すると、挿入部内に設けられた突起部が一方の取り付け部に設けられた孔部に係合する。それにより、カードケースが表示本体部に取り付けられる。また、一方の取り付け部に設けられた突出片が、カード保持部に対して前方に突出する。
【００４０】
使用者は、カードケースを表示本体部より取り外す場合に、カード保持部に対して前方に突出した突出片を把持してカードケースの孔部に対する突起部の係合を外すとともに、突出片を前方に引っ張る。これにより、カードケースを表示本体部より容易に取り外すことができる。
【００４１】
以上に示すように、使用者は、表示本体部に対するカードケースの着脱作業を表示本体部の前面側で容易に行うことができる。
【００４２】
【発明の実施の形態】
以下に、本発明の実施の形態に係る表示用ホルダについて図面に基づき説明する。
【００４３】
図１は、第１の実施の形態に係る表示用ホルダの組立て斜視図である。本実施の形態に係る表示用ホルダ１００は、スーパーマーケット等の販売店における商品陳列棚に設置され、消費者に対し商品価格および商品広告情報等を提示するために用いられる。
【００４４】
表示用ホルダ１００は、ケーシング１１０、保持部材１９１およびカードケース３００を備える。ケーシング１１０は、差込口１５０、収納部１１０Ｈおよび固定部材１１０Ｋを有する。カードケース３００は保持片３３０を有する。また、液晶表示装置２００は商品価格を表示する表示パネル２０１を備える。
【００４５】
液晶表示装置２００は、矢印Ｙで示すようにケーシング１１０の収納部１１０Ｈに収納され、カードケース３００の保持片３３０は、矢印Ｘで示すようにケーシング１１０の差込口１５０に挿入される。後述するように固定部材１１０Ｋに保持部材１９１が回動可能に取り付けられている。
【００４６】
図２（ａ）は図１のカードケースの斜視図、図２（ｂ）は図１のカードケースの平面図、図２（ｃ）は図２（ａ）のカードケースのＣ−Ｃ線断面図である。
【００４７】
図２において、カードケース３００は、起立片３３１、狭持片３３７および保持片３３０により構成されている。
【００４８】
起立片３３１および狭持片３３７は上端で互いに連接されており、起立片３３１と狭持片３３７との間に隙間３３９が形成されている。また、保持片３３０は、起立片３３１から後方に屈曲形成され、中央部で下側に折り返されることにより上部挿入片３３４ａおよび下部挿入片３３４ｂが形成されている。下部挿入片３３４ｂの前端には、突出片３３６が延設されている。また、下部挿入片３３４ｂには、係止孔３３５が設けられている。
【００４９】
上部挿入片３３４ａおよび下部挿入片３３４ｂは、図１のケーシング１１０に設けられた差込口１５０に挿入可能な形状に形成されている。なお、上記に示す突出片３３６は、使用者がカードケース３００を把持する場合のつまみ部として設けられている。
【００５０】
図２（ａ）に示すように、カードケース３００の隙間３３９に広告カード３９０が矢印Ｋの方向に挿入される。ここで、カードケース３００は、可撓性を有する透明のプラスチック等からなる合成樹脂板により形成されている。これにより、隙間３３９に挿入される広告カード３９０に表示された商品広告情報が、起立片３３１を通してカードケース３００の前面に提示される。
【００５１】
図２（ｃ）に示すように、上部挿入片３３４ａと下部挿入片３３４ｂとは、やや開いた状態で形成されている。それにより、上部挿入片３３４ａと下部挿入片３３４ｂとを互いに接触させるように矢印Ｚの方向に閉じると、上部挿入片３３４ａと下部挿入片３３４ｂとが開くように矢印Ｚと逆方向に復元力が働く。
【００５２】
図３は、図１の表示用ホルダの差込口の拡大図である。
図３によれば、差込口１５０の内部の下面に係止突起１５１が設けられている。差込口１５０に図２のカードケース３００の保持片３３０が挿入された際に、係止突起１５１が係止孔３３５に嵌合する。それにより、カードケース３００がケーシング１１０上に保持される。
【００５３】
以下、ケーシング１１０に対するカードケース３００の着脱方法について図４に基づき説明する。
【００５４】
図４は、ケーシングに対するカードケースの着脱方法を示す断面図である。図４においては、図２に示すカードケースのＣ−Ｃ線断面および図３に示すケーシングのＤ−Ｄ線断面が示されている。
【００５５】
カードケース３００の取り付け時には、図４（ａ）に示すように、カードケース３００の保持片３３０をケーシング１１０の差込口１５０に対し矢印Ｘの方向に挿入する。それにより、図４（ｂ）に示すように、上部挿入片３３４ａと下部挿入片３３４ｂとが互いに閉じた状態でケーシング１１０の差込口１５０の内部に収容される。
【００５６】
この状態で、上部挿入片３３４ａと下部挿入片３３４ｂとが互いに開く方向に復元力が働く。それにより、係止孔３３５に係止突起１５１が嵌合するとともに上部挿入片３３４ａおよび下部挿入片３３４ｂが差込口１５０の上面および下面を押し広げる方向に力が作用する。それにより、保持片３３０が差込口１５０に対して強固に保持される。
【００５７】
また、カードケース３００の突出片３３６は、ケーシング１１０の差込口１５０からケーシング１１０の前方に突出する。
【００５８】
次に、カードケース３００の取り外し時には、図４（ｂ）に示す状態において、使用者は突出片３３６を把持して上に押し上げることにより係止突起１５１を係止孔３３５から外し、突出片３３６をケーシング１１０の前面側に引き抜く。それにより、表示用ホルダ１００の前面側の操作でカードケース３００をケーシング１１０から容易に取り外すことができる。
【００５９】
図５（ａ），（ｂ），（ｃ）は、本発明の他の実施の形態に係る表示用ホルダに用いられるカードケースを示す図であり、（ａ）は斜視図、（ｂ）は平面図、（ｃ）は（ａ）のＣｂ−Ｃｂ線断面図である。図６は、本発明の他の実施の形態に係る表示用ホルダに用いられるケーシングの差込口の拡大図である。
【００６０】
図５において、カードケース３００ｂは、起立片３３１、狭持片３３７および保持片３４０により構成されている。
【００６１】
起立片３３１および狭持片３３７は上端で互いに連接されており、起立片３３１と狭持片３３７との間に隙間３３９が形成されている。また、保持片３４０は、起立片３３１から後方に屈曲形成され、中央部で下側に折り返されることにより上部挿入片３４４ａおよび下部挿入片３４４ｂが形成されている。上部挿入片３４４ａの前端には、突出片３４６が延設されている。さらに、上部挿入片３４４ａには、係止孔３４５が設けられている。
【００６２】
上部挿入片３４４ａおよび下部挿入片３４４ｂは、後述のケーシングに設けられた差込口に挿入可能な形状に形成されている。なお、上記に示す突出片３４６は、使用者がカードケース３００ｂを把持する場合のつまみ部として設けられている。
【００６３】
カードケース３００ｂの隙間３３９には、広告カードが挿入される。ここで、カードケース３００ｂは、可撓性を有する透明のプラスチック等からなる合成樹脂板により形成されている。これにより、隙間３３９に挿入される広告カードに表示された商品広告情報が、起立片３３１を通してカードケース３００ｂの前面に提示される。
【００６４】
図５（ｃ）に示すように、上部挿入片３４４ａと下部挿入片３４４ｂとは、やや開いた状態で形成されている。それにより、上部挿入片３４４ａと下部挿入片３４４ｂとを互いに接触させるように矢印Ｚの方向に閉じると、上部挿入片３４４ａと下部挿入片３４４ｂとが開くように矢印Ｚと逆方向に復元力が働く。
【００６５】
図６によれば、差込口１５０ｂの内部の上面に係止突起１５１ｂが設けられている。差込口１５０ｂに図５のカードケース３００ｂの保持片３４０が挿入された際に、係止突起１５１ｂが係止孔３４５に嵌合する。それにより、カードケース３００ｂがケーシング１１０ｂ上に保持される。
【００６６】
以下、ケーシング１１０ｂに対するカードケース３００ｂの着脱方法について図７に基づき説明する。
【００６７】
図７は、ケーシングに対するカードケースの着脱方法を示す断面図である。図７においては、図５に示すカードケース３００ｂのＣｂ−Ｃｂ線断面および図６に示すケーシング１１０ｂのＤｂ−Ｄｂ線断面が示されている。
【００６８】
カードケース３００ｂの取り付け時には、図７（ａ）に示すように、カードケース３００ｂの保持片３４０をケーシング１１０ｂの差込口１５０ｂに対し矢印Ｘｂの方向に挿入する。それにより、図７（ｂ）に示すように、上部挿入片３４４ａと下部挿入片３４４ｂとが互いに閉じた状態でケーシング１１０ｂの差込口１５０ｂの内部に収容される。
【００６９】
この状態で、上部挿入片３４４ａと下部挿入片３４４ｂとが互いに開く方向に復元力が働く。それにより、係止孔３４５に係止突起１５１ｂが嵌合するとともに上部挿入片３４４ａおよび下部挿入片３４４ｂが差込口１５０ｂの上面および下面を押し広げる方向に力が作用する。それにより、保持片３４０が差込口１５０ｂに対して強固に保持される。
【００７０】
また、カードケース３００ｂの突出片３４６は、ケーシング１１０ｂの差込口１５０ｂからケーシング１１０ｂの前方に突出する。
【００７１】
次に、カードケース３００ｂの取り外し時には、図７（ｂ）に示す状態において、使用者は突出片３４６を把持して下に押し下げることにより係止突起１５１ｂを係止孔３４５から外し、突出片３４６をケーシング１１０ｂの前面側に引き抜く。それにより、表示用ホルダ１００の前面側の操作でカードケース３００ｂをケーシング１１０ｂから容易に取り外すことができる。
【００７２】
図８は、本発明のさらに他の実施の形態に係る表示用ホルダに用いられるカードケースを示す断面図である。
【００７３】
図８において、カードケース３００ｃは、起立片３３１、狭持片３３７および保持片３５０により構成されている。
【００７４】
起立片３３１および狭持片３３７は上端で互いに連接されており、起立片３３１と狭持片３３７との間に隙間３３９が形成されている。また、保持片３５０は、起立片３３１から後方に屈曲形成され、中央部で上側に折り返されることにより上部挿入片３５４ａおよび下部挿入片３５４ｂが形成されている。上部挿入片３５４ａの前端には、突出片３５６が延設されている。起立片３３１の下部中央には孔３５７が設けられている。孔３５７には、突出片３５６が貫通している。さらに、上部挿入片３５４ａには、係止孔３５５が設けられている。
【００７５】
上部挿入片３５４ａおよび下部挿入片３５４ｂは、図６のケーシング１１０ｂに設けられた差込口１５０ｂに挿入可能な形状に形成されている。なお、上記に示す突出片３５６は、使用者がカードケース３００ｃを把持する場合のつまみ部として設けられている。
【００７６】
カードケース３００ｃの隙間３３９には広告カードが挿入される。ここで、カードケース３００ｃは、可撓性を有する透明のプラスチック等からなる合成樹脂板により形成されている。これにより、隙間３３９に挿入される広告カードに表示された商品広告情報が、起立片３３１を通してカードケース３００ｃの前面に提示される。
【００７７】
図８に示すように、上部挿入片３５４ａと下部挿入片３５４ｂとは、やや開いた状態で形成されている。それにより、上部挿入片３５４ａと下部挿入片３５４ｂとを互いに接触させるように矢印Ｚｉの方向に閉じると、上部挿入片３５４ａと下部挿入片３５４ｂとが開くように矢印Ｚｉと逆方向に復元力が働く。
【００７８】
カードケース３００ｃの図６のケーシング１１０ｂへの取り付け時には、上部挿入片３５４ａと下部挿入片３５４ｂとが互いに閉じた状態でケーシング１１０ｂの差込口１５０ｂの内部に収容される。
【００７９】
この状態で、上部挿入片３５４ａと下部挿入片３５４ｂとが互いに開く方向に復元力が働く。それにより、係止孔３５５に係止突起１５１ｂが嵌合するとともに上部挿入片３５４ａおよび下部挿入片３５４ｂが差込口１５０ｂの上面および下面を押し広げる方向に力が作用する。それにより、保持片３５０が差込口１５０ｂに対して強固に保持される。
【００８０】
また、カードケース３００ｃの突出片３５６は、ケーシング１１０ｂの差込口１５０ｂからケーシング１１０ｂの前方に突出する。
【００８１】
次に、カードケース３００ｃの取り外し時には、使用者は突出片３５６を把持して下に押し下げることにより係止突起１５１ｂを係止孔３５５から外し、突出片３５６をケーシング１１０ｂの前面側に引き抜く。それにより、表示用ホルダ１００の前面側の操作でカードケース３００ｃをケーシング１１０ｂから容易に取り外すことができる。
【００８２】
最後に、上記実施の形態に係る表示用ホルダ１００を商品陳列棚に固定するための保持部材について説明する。
【００８３】
図９は、ケーシングおよび保持部材の組み立て前の状態を示す背面斜視図である。図１０は、ケーシングおよび保持部材の組立て後の状態を示す背面斜視図である。
【００８４】
図９に示すように、ケーシング１１０の両側面から背面側に突出するように取付孔１１２を有する固定部材１１０Ｋが延設されている。また、ケーシング１１０の背面の中央部には、上面に複数の山１１１ａおよび谷１１１ｂを有する角度調整片１１１が設けられている。
【００８５】
保持部材１９１の上端部に固定片１９１ａが設けられ、下端部に固定片１９１ｂが設けられている。さらに、保持部材１９１の両端部に軸１９２が設けられ、中央上部に角度調整孔１９３が設けられている。
【００８６】
ケーシング１１０と保持部材１９１との組立て時において、保持部材１９１の両端部の軸１９２が、固定部材１１０Ｋの取付孔１１２に図１０の矢印Ｒの方向に回動可能に取り付けられる。さらに、図１０に示すように、保持部材１９１の角度調整孔１９３にケーシング１１０の角度調整片１１１が係合する。
【００８７】
使用者は、保持部材１９１が係合する角度調整片１１１の谷１１１ｂを変更することにより保持部材１９１の角度を段階的に調整することができる。
【００８８】
図１１は、商品陳列棚への表示用ホルダの設置方法を示す断面図である。図１１においては、図１０に示すケーシング１１０および保持部材１９１のＥ−Ｅ線断面が示されている。
【００８９】
図１１（ａ），（ｂ）に示すように、商品陳列棚１８０の棚板には、レール１７０が設けられている。レール１７０の上部に差込溝１７０ａが設けられ、下部に差込溝１７０ｂが設けられている。
【００９０】
保持部材１９１の固定片１９１ａはレール１７０の差込溝１７０ａに差し込まれ、保持部材１９１の固定片１９１ｂはレール１７０の差込溝１７０ｂに差し込まれる。
【００９１】
ここで、保持部材１９１は、プラスチック等の可撓性を有する合成樹脂板により形成されている。これにより、使用者は、保持部材１９１の固定片１９１ａおよび固定片１９１ｂを矢印Ｑの方向に押さえ込むことにより保持部材１９１をレール１７０に容易に取り付け、表示用ホルダ１００を商品陳列棚１８０に設置することができる。
【００９２】
以上に示す構造を有するケーシング１１０および保持部材１９１によれば、使用者は、ケーシング１１０を所望の角度でレール１７０に取り付けることができる。
【００９３】
また、使用者は、ケーシング１１０に対する保持部材１９１の角度を変更することにより容易に表示用ホルダ１００の価格表示または広告表示の角度を調整することができる。
【００９４】
図１２は、上記実施の形態の表示用ホルダにおける他の例のケーシングおよび保持部材の組み立て前の状態を示す斜視図である。図１３は、上記実施の形態の表示用ホルダにおける他の例のケーシングおよび保持部材の組み立て後の状態を示す斜視図である。
【００９５】
図１２において、ケーシング１１０ｃの背面上部には断面Ｌ字形の差込部１２０ａが水平方向に延びるように設けられている。ケーシング１１０ｃの背面中央部には傾斜片１２０Ｇが設けられ、傾斜片１２０Ｇの下端部には断面Ｌ字形の差込部１２０ｂが水平方向に延びるように設けられている。
【００９６】
一方、保持部材７０は、上部差込片７１、下部差込片７２、固定片７４，７５および弾性体７３を備える。弾性体７３は、下部差込片７２の内側から下方にＶ字形に延びている。保持部材７０は、プラスチック等の可撓性を有する合成樹脂により一体的に形成されている。
【００９７】
ケーシング１１０ｃと保持部材７０との組立て時において、保持部材７０は矢印Ｍの方向にケーシング１１０ｃに取り付けられる。それにより、図１３に示すように、上部差込片７１がケーシング１１０ｃの差込部１２０ａに挿入され、下部差込片７２がケーシング１１０ｃの差込部１２０ｂに挿入される。
【００９８】
このように組立てられた表示用ホルダ１００において、保持部材７０の弾性体７３は、矢印Ｗの方向に弾性力を有する。
【００９９】
図１４は、商品陳列棚への表示用ホルダの設置方法を示す断面図である。図１４においては、図１３に示すケーシング１１０ｃおよび保持部材７０のＧ−Ｇ線断面が示されている。
【０１００】
図１４に示すように、商品陳列棚１８０の棚板には、図１１と同様のレール１７０が設けられている。
【０１０１】
商品陳列棚１８０に対する表示用ホルダ１００の設置時には、固定片７５をレール１７０の差込溝１７０ｂに差込み、保持部材７０を矢印Ｔで示すように弾性体７３の弾性力に抗して下方へ押し下げ、固定片７４をレール１７０の差込溝１７０ａに差し込む。これにより、弾性体７３の弾性力により固定片７４，７５が差込溝１７０ａ，１７０ｂを押し広げる方向に力が作用する。したがって、表示用ホルダ１００が商品陳列棚１８０に強固に固定される。
【０１０２】
上記の保持部材７０によれば、ケーシング１１０ｃが商品陳列棚１８０へ強固に固定されるので、カート等により外部から衝撃を受けた場合でも表示用ホルダ１００が商品陳列棚１８０から外れない。
【０１０３】
上記の例では、図１３に示すケーシング１１０ｃに１個の保持部材７０が設けられているが、表示用ホルダ１００を商品陳列棚１８０により強固に固定する場合には、ケーシング１１０ｃの背面に２個以上の保持部材７０を設けてもよい。
【０１０４】
以上に示す本実施の形態においては、ケーシング１１０，１１０ｂ，１１０ｃが表示本体部に相当し、差込口１５０，１５０ｂが挿入部に相当し、係止突起１５１，１５１ｂが突起部に相当する。また、カードケース３００，３００ｂ，３００ｃがカードケースに相当し、起立片３３１、狭持片３３７および隙間３３９がカード保持部に相当し、保持片３３０，３４０，３５０が取り付け片に相当し、上部挿入片３３４ａ，３４４ａ，３５４ａが第１取り付け部に相当し、下部挿入片３３４ｂ，３４４ｂ，３５４ｂが第２取り付け部に相当し、係止孔３３５，３４５，３５５が孔部に相当し、係止突起１５１，１５１ｂが突起部に相当する。
【０１０５】
【発明の効果】
本発明に係る表示用ホルダにおいては、互いに重なり合うように形成された第１取り付け部および第２取り付け部を表示本体部に設けられた挿入部に挿入すると、挿入部内に設けられた突起部が一方の取り付け部に設けられた孔部に係合する。それにより、カードケースが表示本体部に取り付けられる。また、一方の取り付け部に設けられた突出片が、カード保持部に対して前方に突出する。使用者は、カードケースを表示本体部より取り外す場合に、カード保持部に対して前方に突出した突出片を把持してカードケースの孔部に対する突起部の係合を外すとともに、突出片を前方に引っ張る。これにより、カードケースを表示本体部より容易に取り外すことができる。
【０１０６】
以上に示すように、使用者は、表示本体部に対するカードケースの着脱作業を表示用ホルダの前面側で容易に行うことができる。
【図面の簡単な説明】
【図１】第１の実施の形態に係る表示用ホルダの組立て斜視図
【図２】（ａ）図１のカードケースの斜視図、（ｂ）図１のカードケースの平面図、（ｃ）カードケースのＣ−Ｃ線断面図
【図３】図１の表示用ホルダの差込口の拡大図
【図４】ケーシングに対するカードケースの着脱方法を示す断面図
【図５】本発明の他の実施の形態に係る表示用ホルダに用いられるカードケースを示す図
【図６】本発明の他の実施の形態に係る表示用ホルダに用いられるケーシングの差込口の拡大図
【図７】ケーシングに対するカードケースの着脱方法を示す断面図
【図８】本発明のさらに他の実施の形態に係る表示用ホルダに用いられるカードケースを示す断面図
【図９】ケーシングおよび保持部材の組み立て前の状態を示す背面斜視図
【図１０】ケーシングおよび保持部材の組立て後の状態を示す背面斜視図
【図１１】商品陳列棚への表示用ホルダの設置方法を示す断面図
【図１２】図１の表示用ホルダにおける他の例のケーシングおよび保持部材の組み立て前の状態を示す斜視図
【図１３】図１の表示用ホルダにおける他の例のケーシングおよび保持部材の組み立て後の状態を示す斜視図
【図１４】商品陳列棚への表示用ホルダの設置方法を示す断面図
【図１５】従来の表示用ホルダの外観斜視図
【図１６】図１５の挿入口ＪＷを表示用ホルダの正面より見た場合の拡大図
【図１７】図１５の従来のカードケースの斜視図
【図１８】表示本体に対するカードケースの着脱方法を示す断面図
【符号の説明】
１００　表示用ホルダ
１１０，１１０ｂ，１１０ｃ　ケーシング
１１１　角度調整片
１１０Ｋ　固定部材
１５０，１５０ｂ　差込口
１５１，１５１ｂ　係止突起
１７０　レール
１８０　商品陳列棚
１９１，７０　保持部材
２００　液晶表示装置
３００，３００ｂ，３００ｃ　カードケース
３３０，３４０，３５０　保持片
３３１　起立片
３３７　狭持片
３３９　隙間
３３４ａ，３４４ａ，３５４ａ　上部挿入片
３３４ｂ，３４４ｂ，３５４ｂ　下部挿入片
３３５，３４５，３５５　係止孔
３３６，３４６，３５６　突出片
【図１】
2004021239.tif 000003
【図２】
2004021239.tif 000004
【図３】
2004021239.tif 000005
【図４】
2004021239.tif 000006
【図５】
2004021239.tif 000007
【図６】
2004021239.tif 000008
【図７】
2004021239.tif 000009
【図８】
2004021239.tif 000010
【図９】
2004021239.tif 000011
【図１０】
2004021239.tif 000012
【図１１】
2004021239.tif 000013
【図１２】
2004021239.tif 000014
【図１３】
2004021239.tif 000015
【図１４】
2004021239.tif 000016
【図１５】
2004021239.tif 000017
【図１６】
2004021239.tif 000018
【図１７】
2004021239.tif 000019
【図１８】
2004021239.tif 000020